【手続補正書】
【提出日】平成16年8月13日(2004.8.13)
【手続補正１】
【補正対象書類名】明細書
【補正対象項目名】特許請求の範囲
【補正方法】変更
【補正の内容】
【特許請求の範囲】
【請求項１】
再利用植物資材、現地発生土、肥料、種子を少なくとも含む緑化用原料組成物を容量比配合により水と混合する工程と、前記工程により得られる水と混合した緑化用原料組成物を貯蔵しておく混合槽よりスラリー状態で吐出させる工程と、前記工程により吐出された緑化用原料組成物を螺旋状に流動させつつ搬送する搬送ホースとこの搬送ホースに設けられた搬送補助手段とによって先端ノズルへ向けて圧送搬送する圧送搬送工程と、前記圧送搬送工程により先端部へ圧送搬送されてきた緑化用原料組成物を先端ノズルを通じて植生地盤に吹付け施工する工程とよりなることを特徴とする資源リサイクル利用の緑化工法。
【請求項２】
前記緑化工法において、少なくとも主原料圧送部を運搬用の車両に搭載したままの状態で緑化用原料組成物を植生地盤に対して緑化吹付けすることを特徴とする請求項１の緑化工法。
【請求項３】
再利用植物資材、現地発生土、肥料、種子、耐水性高分子樹脂化合物、抗菌剤とを少なくとも含有し、前記再利用植物資材は、吸着用のマグネシュウムイオンと鉄イオンとを少なくとも解離する化合物を含む古紙を解繊したパルプであり、該化合物が水中で吸着特性を発現させることを助長させる触媒を含有し、混合槽より吐出される時に少なくとも水を含有した状態の泥水状物となることを特徴とする緑化用原料組成物。
【請求項４】
資源リサイクル利用する緑化用原料組成物を水と混合して圧送する圧送手段と、前記圧送手段に接続され、かつ緑化用原料組成物を先端部に設けた吹付けノズルに向けて螺旋状に流動させる搬送ホースとこの搬送ホースに設けられた搬送補助手段を含む圧送搬送手段とを備え、前記圧送搬送手段により緑化用原料組成物を植生地盤に対して緑化吹付け施工をすることを特徴とする緑化吹付用装置。
【請求項５】
前記圧送手段のうち少なくとも主原料圧送部を運搬用の車両に搭載したままの状態で緑化用原料組成物を植生地盤に対して緑化吹付けすることを特徴とする請求項４の緑化吹付用装置。
【手続補正２】
【補正対象書類名】明細書
【補正対象項目名】００２７
【補正方法】変更
【補正の内容】
【００２７】
また、圧縮空気供給用の枝付き管２６に対して枝管２８は正面視及び平面視において５０〜７０度に傾斜されて接続されてなることが好ましい。
【手続補正３】
【補正対象書類名】明細書
【補正対象項目名】００２９
【補正方法】変更
【補正の内容】
【００２９】
また、地盤の緑化吹付け装着の主原料圧送部１２により圧送される主原料Ｍ１に木材チップ１０４や古紙解繊パルプの他に現地発生土を含むこととしてもよい。
【手続補正４】
【補正対象書類名】明細書
【補正対象項目名】００３３
【補正方法】変更
【補正の内容】
【００３３】
主原料圧送部１２は、例えば吹付け時においてもトラックに搭載した状態のままのモルタガン機等が用いられ、混合室内にベルトコンベアその他の搬送手段を介して主原料Ｍ１が搬送されるとともに、混合室に空気圧縮装置を接続して混合室内を高圧にして搬送手段に吐出するようになっている。主原料には現地発生の再利用植物資材が含まれる。この再利用植物資材としては、緑化用の植生地盤１００において自生あるいは植生された木本、草本、花その他の植物を刈り込んで採取された伐採植物を破砕機により裁断してチップ化したものや剪定材、植物の根、茎、葉、木製廃材が含まれる。また、再利用植物資材には、一旦植物パルプを紙にした古紙を解繊機で線状に解繊したパルプなども含まれる。細断後のチップの大きさは例えば直径５ｍｍ以下程度の大きさのものが好ましい。しかしながら、大きさそのものは破砕機の能力、処理時間、コスト等を考慮して任意に設定することが好ましい。
【手続補正５】
【補正対象書類名】明細書
【補正対象項目名】００３４
【補正方法】変更
【補正の内容】
【００３４】
さらに、この主原料には肥料や植物の種子が含まれる。肥料しては、例えば乾燥肥料が用いられ、熟成または半熟成バーク材あるいはピートモス等を混合してもよい。また、肥料は、化成肥料等を混合してもよい。ここで注目すべきは、現地伐採の生の植物チップを混合するから吹き付け後はこれらのチップが早期に分解して肥料として機能するようにFeやMgを含有する抗菌剤をごく少量で良いから添加混合する。施工の現地で生育した刈り込み植物の焼却、廃棄のための運搬や野焼き不要となる。作業現場で発生する伐採自然木等は有限の植物資源であり、リサイクル資材として効果的に用いることができる。
【手続補正６】
【補正対象書類名】明細書
【補正対象項目名】００４４
【補正方法】変更
【補正の内容】
【００４４】
図７において、凸部３２は断面鋸刃状に突出端を形成させており、中心方向に立ち上がる平面壁３４と、その突出端から円弧状に立ち下がって管内壁に接続する円弧壁３６と、を備えている。そして、枝管２８から吐出された圧縮空気は主原料Ｍ１等を巻き込みながら、例えばこの凸部３２の円弧壁３６と管内壁とにより形成される部分に案内されて、該吹き付け原料を螺旋状に周回させつつ前方へ流動させていく。このとき、管内壁に沿って螺旋状に流動するからこの管内壁を常に削るように流動する。したがって、管内に付着しやすい高粘度の物質を付着させることがなく、これによっても枝付き管内の目詰まりを防止し、それに接続する搬送ホース内の螺旋状の圧送を確保する。
【手続補正７】
【補正対象書類名】明細書
【補正対象項目名】００４６
【補正方法】変更
【補正の内容】
【００４６】
搬送手段１４の先端側には吹き付けノズル２４が接続されている。そして、搬送手段１４に介設されて吹き付けノズル２４の近傍手前位置、すなわち流れの上流側に接合用の含水原料圧送部１６が介設されている。実施例において、含水原料圧送部１６は、吹き付けノズル２４の手前位置近傍に配置して搬送ホース２２に接続された供給混入用の枝付き管２６と、この枝付き管２６の枝管２８に接続された圧送ポンプとしての主原料圧送部１３、このポンプに接続された含水原料収容部と、を備えている。
【手続補正８】
【補正対象書類名】明細書
【補正対象項目名】００４７
【補正方法】変更
【補正の内容】
【００４７】
枝管２８は供給混入用の枝付き管２６内に外部から枝状に分岐するように接続され、同枝付き管２６の内壁に沿う空気吹き出しを行うように斜め前方に向けて枝付き管内と連通するように設けられている。そして、搬送ホース２２内を螺旋状に圧送される主原料Ｍ１に合流するようにして接合用含水原料Ｍ２もこの供給混入用の枝付き管２６内を螺旋状に送り込まれる。供給混入用の枝付き管２６に対して枝管４０は正面視及び平面視において５０度〜７０度に傾斜して接続されるのが好適である。また、供給混入用の枝付き管２６内にも接合用含水原料を螺旋状に前進させ得るような螺旋状の凸部または凹部等からなる案内部設けるようにしてもよい。
【手続補正９】
【補正対象書類名】明細書
【補正対象項目名】００４９
【補正方法】変更
【補正の内容】
【００４９】
特に解繊パルプと抗菌剤との混入により、土壌の団粒構造形成が可能となり、白色ないし黄色系の色彩により熱の反射効果や吸着性に富む性質を有し、特に抗菌剤は発生木のチップの分解（熟成）を促進させる分解促進剤として作用し、その結果、保水性、保肥性、通水性、通気性、保湿性が向上し、植物の生育に最適な環境を実現し得る。螺旋圧送手段１８を介して現地発生土やベントナイト等の高粘度の物質を混入して圧送吹き付けが現実に可能となっている。さらに、現地発生土とともに現地伐採の植物チップその他の再利用植物資材を混入しても主原料圧送部１３により確実に圧送するから主原料圧送部の吐出口で詰まることがなく、さらに螺旋圧送手段１８の作用により吹き付けノズル２４部分で詰まったりすることがない。のみならず、原料吹き付け後に、高分子化合物の接合と解繊パルプの絡み効果とによりチップ材が土壌の表面でからみあってポーラスな状態で団粒構造の形成と同様の効果をもたらし、吹き付けた土壌の保水性、保肥性、保温製等を良好に保持する。
【手続補正１０】
【補正対象書類名】図面
【補正対象項目名】図１
【補正方法】変更
【補正の内容】
【図１】
2002363994.tif 000001